(57)【特許請求の範囲】
【請求項１】
音声出力装置と、情報処理部と、ケース体と、姿勢維持装置とを具備する情報処理装置であって、
前記音声出力装置は、音声出力素子と箱体とを具備し、
前記箱体は、固定箱部と可動箱部とからなり、前記固定箱部は前記ケース体内に設けられており、前記可動箱部が前記ケース体の外に突出・前記ケース体の中に退避可能なように構成され、
前記音声出力素子は、前記箱体の固定箱部内に設けられたものであり、
前記姿勢維持装置は、前記箱体の一部が前記ケース体から突出している場合に、その姿勢を維持するように構成されたものである
ことを特徴とする情報処理装置。
【請求項２】
前記可動箱部はスライド箱であり、前記可動箱部をスライドさせることによって、前記ケース体から突出させたり、前記ケース体内に退避できるように構成されてなることを特徴とする請求項１記載の情報処理装置。
【請求項３】
前記可動箱部は回動箱であり、前記可動箱部を回動させることによって、前記ケース体から突出したり、前記ケース体内に退避できるように構成されてなることを特徴とする請求項１記載の情報処理装置。
【請求項４】
前記姿勢維持装置は前記ケース体の下側に設けられた起こされたり倒されたりするチルト足であり、前記箱体の可動箱部の突出方向が前記ケース体の下側方向であることを特徴とする請求項１記載の情報処理装置。
【請求項５】
前記箱体の可動箱部が前記ケース体から突出している状態において、前記姿勢維持装置によって、前記可動箱部が中空に浮いている状態となるよう構成されてなることを特徴とする請求項１記載の情報処理装置。
【発明の詳細な説明】
【０００１】
【発明の属する技術分野】
本発明は、例えばノートパソコン、ブックパソコン等のパーソナルコンピュータ、或いはその他の携帯型と言った小型の情報処理装置に関する。
【０００２】
【発明が解決しようとする課題】
携帯情報処理装置が、今日、広く普及している。この携帯情報処理装置は、携帯であるが故に、小型であることが必須の要件である。
【０００３】
この小型の要件を満たさせる為、情報処理装置に設けられているスピーカから発せられる音声は、低音側の音が充分なものでは無い。すなわち、スピーカから発せられる音が高音の場合、スピーカボックスの容積が比較的小さなものでも、その再生音は自然なものである。しかし、スピーカから発せられる音が低音の場合、スピーカボックスの容積が小さいと、その再生音は不自然なものとなる。つまり、低音の再生が不十分になってしまう。
【０００４】
従って、本発明が解決しようとする課題は、音質に優れた再生音が得られる小型の情報処理装置を提供することである。
【０００５】
特に、低音側の音質に優れた再生音が得られる小型の情報処理装置を提供することである。
【０００６】
【課題を解決するための手段】
前記の課題は、音声出力装置と、情報処理部と、ケース体と、姿勢維持装置とを具備する情報処理装置であって、
前記音声出力装置は、音声出力素子と箱体とを具備し、
前記箱体は、固定箱部と可動箱部とからなり、前記固定箱部は前記ケース体内に設けられており、前記可動箱部が前記ケース体の外に突出・前記ケース体の中に退避可能なように構成され、
前記音声出力素子は、前記箱体の固定箱部内に設けられたものであり、
前記姿勢維持装置は、前記箱体の一部が前記ケース体から突出している場合に、その姿勢を維持するように構成されたものである
ことを特徴とする情報処理装置によって解決される。
【０００８】
上記の情報処理装置において、前記箱体は固定箱部と可動箱部とからなり、前記固定箱部は前記ケース体内に設けられており、前記可動箱部が前記ケース体に対して突出・退避可能なように構成することが出来る。例えば、前記可動箱部はスライド箱であり、前記可動箱部をスライドさせることによって、前記ケース体から突出させたり、前記ケース体内に退避できるように構成される。或いは、前記可動箱部は回動箱であり、前記可動箱部を回動させることによって、前記ケース体から突出したり、前記ケース体内に退避できるように構成される。前記可動箱部の突出方向は、前記ケース体の下側であったり、又は前記ケース体の左右の横側であったりする。或いは、前記ケース体の上側に突出させるように構成することも出来る。
又、前記姿勢維持装置は、特に、前記ケース体の下側に設けられた起こされたり倒されたりするチルト足であり、前記箱体の可動箱部の突出方向が前記ケース体の下側方向であるように構成されている。又、前記箱体の可動箱部が前記ケース体から突出している状態において、前記姿勢維持装置によって、前記可動箱部が中空に浮いている状態となるよう構成されている。
【０００９】
【発明の実施の形態】
本発明になる情報処理装置は、音声出力装置と、情報処理部と、ケース体とを具備する情報処理装置であって、前記音声出力装置は、音声出力素子と、この音声出力素子が設けられた箱体とを具備してなり、前記箱体は、少なくともその一部が前記ケース体に対して突出・退避可能なように構成されてなる。又は、音声出力装置と、情報処理部と、ケース体と、姿勢維持装置とを具備する情報処理装置であって、前記音声出力装置は、音声出力素子と、この音声出力素子が設けられた箱体とを具備し、前記箱体は、少なくともその一部が前記ケース体に対して突出・退避可能なように構成されてなり、前記姿勢維持装置は、前記箱体の一部が前記ケース体から突出している場合に、その姿勢を維持するように構成されたものである。
【００１０】
上記の情報処理装置において、前記箱体は固定箱部と可動箱部とからなり、前記固定箱部は前記ケース体内に設けられており、前記可動箱部が前記ケース体に対して突出・退避可能なように構成することが出来る。例えば、前記可動箱部はスライド箱であり、前記可動箱部をスライドさせることによって、前記ケース体から突出させたり、前記ケース体内に退避できるように構成される。或いは、前記可動箱部は回動箱であり、前記可動箱部を回動させることによって、前記ケース体から突出したり、前記ケース体内に退避できるように構成される。前記可動箱部の突出方向は、前記ケース体の下側であったり、又は前記ケース体の左右の横側であったりする。或いは、前記ケース体の上側に突出させるように構成することも出来る。
【００１１】
以下、更に具体的に説明する。
【００１２】
図１〜図７は本発明になる携帯情報処理装置の第１実施形態を示すものであり、図１はチルト足が倒れた状態で表示部（液晶画面部）が開いている場合の概略側面図、図２はチルト足を起こした状態で表示部（液晶画面部）が開いている場合の概略側面図、図３は使用状態での概略側面図、図４は図１の状態でのスピーカボックスの状態（ボックス内容積が小の状態）を示す概略横断面図、図５は図１の状態でのスピーカボックスの状態（ボックス内容積が小の状態）を示す概略縦断面図、図６は図３の状態でのスピーカボックスの状態（ボックス内容積が大の状態）を示す概略横断面図、図７は図３の状態でのスピーカボックスの状態（ボックス内容積が大の状態）を示す概略縦断面図である。
【００１３】
携帯情報処理装置Ａは、ケース体１と、このケース体１に内蔵された電子回路部（情報処理部）２と、前記ケース体１の上面に対して被さるように開閉する表示部３とを有している。尚、これらの構成は、周知であるから、詳細な説明は省略する。
【００１４】
４はチルト足である。携帯情報処理装置Ａの使用時には、図３に示される通り、ケース体１の下側に設けられたチルト足４は起こされており、ケース体１の姿勢を斜めに維持している。携帯情報処理装置Ａの不使用時には、図１に示される通り、ケース体１の下側に設けられたチルト足４は倒れた状態であり、ケース体１は水平に維持されている。
【００１５】
５はスピーカ（音声出力素子）である。尚、このスピーカ５は、スピーカ５からの音がケース体１の上面に向かって放出されるように設けられたものであっても良く、或いはケース体１の側方に向かって放出されるように設けられたものであっても良く、若しくはケース体１の下面に向かって放出されるように設けられたものであっても良い。
【００１６】
６はスピーカボックス（箱体）であり、スピーカボックス６は固定ボックス部６ａと可動ボックス部６ｂとから出来ている。そして、固定ボックス部６ａがケース体１内に設けられている。スピーカ５は、固定ボックス部６ａ内に設けられている。
【００１７】
可動ボックス部６ｂは、図３〜図７から判る通りである。すなわち、可動ボックス部６ｂは、固定ボックス部６ａに対してスライド出来るように取り付けられている。この為、可動ボックス部６ｂを固定ボックス部６ａに対して押し込むと、可動ボックス部６ｂの下端部はケース体１内に押し込まれる。可動ボックス部６ｂを固定ボックス部６ａから取り出す方向に作動させると、可動ボックス部６ｂの下端部はケース体１から引き出される。勿論、固定ボックス部６ａと可動ボックス部６ｂとの間には、適宜なストッパ機構が設けられている。従って、可動ボックス部６ｂは、図１では、その状態が維持され、又、図３では、その状態が維持される。又、チルト足４の起立によって、図３に示す状態でも、可動ボックス部６ｂには余計な負荷が掛からないようになっている。
【００１８】
そして、図３、図６及び図７に示されるように、可動ボックス部６ｂの下端部がケース体１から引き出された状態にあっては、ケース体１内の空間は大きくなる。すなわち、図１と図３との対比から判る通り、可動ボックス部６ｂの下端部がケース体１から引き出された状態にあっては、ケース体１内の空間は大きくなっている。
【００１９】
従って、スピーカボックスの容積が拡大したことから、スピーカ５から再生される音質、特に低音の音質が向上する。
【００２０】
しかも、携帯情報処理装置Ａの不使用時には、可動ボックス部６ｂを固定ボックス部６ａに対して押し込み、可動ボックス部６ｂをケース体１内に退避させておけば、全体の大きさは、可動ボックス部６ｂが無い場合と基本的に差が無いことから、小型の要件も満たされている。
【００２１】
又、良好な再生音を得る為、大きなスピーカを設けようとした場合、全体の大きさを一定とした場合、電子回路部（情報処理部）２に振り分けられるスペースが小さなものとなる。この場合、電子回路部（情報処理部）２を犠牲にすることから、情報処理能力が低下する恐れがある。しかし、本発明にあっては、かかる恐れが無い。
【００２２】
尚、上記においては、チルト足４の起立によって、図３に示す状態でも、可動ボックス部６ｂには余計な負荷が掛からないようした。しかし、可動ボックス部６ｂを負荷に耐えられる構造としておけば、チルト足４は必ずしも要らない。つまり、可動ボックス部６ｂをチルト足４の代用とすることが出来る。このような例を図８に示す。
【００２３】
又、携帯情報処理装置Ａの機能を拡張する拡張装置７を図９に示される形状に構成させておけば、引き出された可動ボックス部６ｂが拡張装置７の凹部７ａに収納されるようになり、このような場合にもチルト足４は不要である。
【００２４】
図１０〜図１３は本発明になる携帯情報処理装置の第２実施形態を示すものであり、図１０はボックス内容積が小の状態におけるスピーカボックスの概略横断面図、図１１はボックス内容積が小の状態におけるスピーカボックスの概略縦断面図、図１２はボックス内容積が大の状態におけるスピーカボックスの概略横断面図、図１３はボックス内容積が大の状態におけるスピーカボックスの概略縦断面図である。
【００２５】
前記実施形態にあっては、可動ボックス部６ｂがスライド構造のものであったが、本実施形態にあっては、可動ボックス部６ｂを回動構造とした点が相違するに過ぎない。すなわち、可動ボックス部６ｂを軸６ｃを中心に回動できるようにしただけである。
【００２６】
従って、同一構造部分には同一符号を付し、詳細な説明は省略する。
【００２７】
上記の説明では、可動ボックス部６ｂの突出方向はケース体１の下側であった。しかし、可動ボックス部６ｂの突出方向はケース体１の横側であっても良い。このような場合を図１４，１５に示す。
【００２８】
すなわち、図１４，１５からも判る通り、可動ボックス部６ｂをスライドさせて引っ張り出すことによって図１４から図１５に示される状態のものとなる。逆に、可動ボックス部６ｂをスライドさせて押し込むことによって図１５から図１４に示される状態のものとなる。このように構成させても、上記で説明した特長が奏される。
【００２９】
従って、同一構造部分には同一符号を付し、詳細な説明は省略する。
【００３０】
【発明の効果】
特に、低音側の音質に優れた再生音が得られる。しかも、この特長は、小型と言う要件を犠牲にすることなく得られる。
【図面の簡単な説明】
【図１】チルト足が倒れた状態で表示部が開いている場合の概略側面図
【図２】チルト足を起こした状態で表示部が開いている場合の概略側面図
【図３】使用状態での概略側面図
【図４】ボックス内容積が小の状態でのスピーカボックスの概略横断面図
【図５】ボックス内容積が小の状態でのスピーカボックスの概略縦断面図
【図６】ボックス内容積が大の状態でのスピーカボックスの概略横断面図
【図７】ボックス内容積が大の状態でのスピーカボックスの概略縦断面図
【図８】本発明の他の実施形態の概略説明図
【図９】本発明の他の実施形態の概略説明図
【図１０】本発明の他の実施形態におけるボックス内容積が小の状態でのスピーカボックスの概略横断面図
【図１１】本発明の他の実施形態におけるボックス内容積が小の状態でのスピーカボックスの概略縦断面図
【図１２】本発明の他の実施形態におけるボックス内容積が大の状態でのスピーカボックスの概略横断面図
【図１３】本発明の他の実施形態におけるボックス内容積が大の状態でのスピーカボックスの概略縦断面図
【図１４】本発明の他の実施形態におけるボックス内容積が小の状態でのスピーカボックスの概略横断面図
【図１５】本発明の他の実施形態におけるボックス内容積が大の状態でのスピーカボックスの概略縦断面図
【符号の説明】
A        携帯情報処理装置
１        ケース体
２        電子回路部（情報処理部）
３        表示部
４        チルト足（姿勢維持装置）
５        スピーカ（音声出力素子）
６        スピーカボックス（箱体）
６ａ      固定ボックス部
６ｂ      可動ボックス部
【図１】
0003664238.tif 000002
【図２】
0003664238.tif 000003
【図３】
0003664238.tif 000004
【図４】
0003664238.tif 000005
【図５】
0003664238.tif 000006
【図６】
0003664238.tif 000007
【図７】
0003664238.tif 000008
【図８】
0003664238.tif 000009
【図９】
0003664238.tif 000010
【図１０】
0003664238.tif 000011
【図１１】
0003664238.tif 000012
【図１２】
0003664238.tif 000013
【図１３】
0003664238.tif 000014
【図１４】
0003664238.tif 000015
【図１５】
0003664238.tif 000016